(57)【要約】      （修正有）【課題】体積の小さい子供用補助椅子を提供する。【解決手段】子供用補助椅子５００は、シートシェル５０２と、当該シートシェル５０２の外殻に都合よく収納することができるアームレスト５０４を含む。アームレスト５０４は、シートシェル５０２の収納キャビティの中に配置し、使用する際は、収納キャビティの外に展開することができる。シートシェル５０２の中にアームレスト５０４を収容すると、補助椅子の外殻は、シートシェル５０２の外側の輪郭と実質的に一致することができる。【選択図】図５Ａ
2014028305.tif 000002
【特許請求の範囲】
【請求項１】
内部収納キャビティを有するシートシェルと、
前記シートシェルと枢動可能に接続されるアームレストと、を備え、
前記アームレストは、当該アームレストが収納のために前記内部収納キャビティに収容される第１の位置と、当該アームレストが使用のために前記収納キャビティの外に展開される第２の位置との間を、前記シートシェルに対して回転するように操作可能であることを特徴とする子供用補助椅子。
【請求項２】
前記シートシェルは、子供を座らせるための上支持面を有し、前記アームレストは、前記第２の位置にある時に前記支持面の上に直立して延び、前記アームレストは、前記第１の位置にある時に前記収納キャビティの中、かつ前記支持面の下に横たわることを特徴とする請求項１に係る補助椅子。
【請求項３】
前記シートシェルは、子供を座らせるための支持面を有し、前記収納キャビティは、前記支持面の下面から利用できることを特徴とする請求項１に係る補助椅子。  
【請求項４】
前記アームレストは、当該アームレストが前記収納キャビティに収容される前記第１の位置に到達するまで、前記第２の位置から前記シートシェルの前記下面に向かって、前記シートシェルに対して回転するように操作可能であることを特徴とする請求項３に係る補助椅子。
【請求項５】
前記シートシェルは、当該シートシェルの上側から前記収納キャビティを閉じたり開いたりするように操作可能な座席板を備える上側を有することを特徴とする請求項１に係る補助椅子。
【請求項６】
前記アームレストは、当該アームレストが前記収納キャビティに収容される前記第１の位置に到達するまで、前記第２の位置から前記シートシェルの前記上側に向かって、前記シートシェルに対して回転するように操作可能であることを特徴とする請求項５に係る補助椅子。
【請求項７】
前記座席板は、前記アームレストが第２の位置にある時、前記アームレストと噛合するように操作可能な外周側壁を有し、それにより、前記座席板を前記シートシェルの所定の場所に保持することを特徴とする請求項５に係る補助椅子。
【請求項８】
前記アームレストの下部は凹部を有し、前記座席板の前記外周側壁は、前記凹部と噛合するように操作可能な弾性戻り止め部を含むことを特徴とする請求項７に係る補助椅子。
【請求項９】
前記シートシェルの側面に取り外し可能に取り付けるように操作可能なカップホールダーをさらに含み、前記収納キャビティは、前記アームレストとともに前記カップホールダーを収納するようにさらに適合されることを特徴とする請求項１に係る補助椅子。
【発明の詳細な説明】
【関連出願の参照】
【０００１】
本願は、２０１１年１月７日に出願された米国仮出願番号６１／４６０，８１５及び２０１１年１１月４日に出願された中国特許出願番号２０１１１０３４８９３３．６の優先権を主張するものである。
【技術分野】
【０００２】
本発明は、子供用の補助椅子に関し、特に、コンパクトに構成可能な子供用補助椅子構造に関する。
【背景技術】
【０００３】
乗せる子供の年齢、体重、大きさにぴったりと合う多くの種類の子供用自動車安全シートが市販されている。例えば、幼い子供には、車内後方を向けて設置され、しっかりと子供を保持するための独立したハーネスを含む幼児用チャイルドシートを最初に用いることができる。子供が大きくなり成長するにつれて、幼児用チャイルドシートは適切でなくなり、又は必要なくなる。この場合、自動車のシートベルトを用いて子供を安全に保持できるように子供を高い位置に座らせることができる補助椅子を用いることができる。補助椅子には、上述した子供を高くする機能に加えて、アームレストやカップホールダーなどの他の便利な特徴が含まれても良い。しかしながら、これらの追加的特徴は、補助椅子の体積を増加させてしまうため、収納が不便である。
【０００４】
そのため、対費用効果が高い方法で製造され、少なくとも上記の課題に対処することができる改良型補助椅子が必要とされている。
【発明の概要】
【発明が解決しようとする課題】
【０００５】
本願は、シートシェルを含む子供用補助椅子及び、前記シートシェルの外殻に配置可能なアームレストを説明するものである。
【課題を解決するための手段】
【０００６】
前記アームレストは、前記シートシェルの収納キャビティに配置するか、使用の際は前記収納キャビティの外側に展開することができる。前記アームレストが前記シートシェルに収納されると、前記補助椅子の前記外殻は、前記シートシェルの外側の輪郭形状に実質的に一致する。従って、前記補助椅子は、体積が小さくてすみ、小さい梱包箱に配置することができるため収納に便利である。代替的な実施形態では、前記シートシェルに前記アームレストを収納することにより、複数の補助椅子をコンパクトに積み重ねることができるため、補助椅子の輸送コストを削減することができる。
【図面の簡単な説明】
【０００７】
【図１Ａ】第１の実施形態に係る補助椅子を説明する斜視図である。
【図１Ｂ】第１の実施形態の底部側を説明する斜視図である。
【図１Ｃ】第１の実施形態におけるアームレスト及びカップホールダーのシートシェルへの取り外し可能な組み立て方法を説明する概略図である。
【図１Ｄ】第１の実施形態の１つのアームレストを説明する概略図である。
【図１Ｅ】アームレストをシートシェルに収容する構成の第１の実施形態の概略図である。
【図１Ｆ】互いに積み重ねられた第１の実施形態の複数の補助椅子を説明する概略図である。
【図２Ａ】第２の実施形態に係る補助椅子を説明する斜視図である。
【図２Ｂ】第２の実施形態のシートシェルの底部側を説明する拡大図である。
【図２Ｃ】アームレストを組み立てない状態の第２の実施形態のシートシェルの底部側を説明する部分拡大図である。
【図３Ａ】第３の実施形態に係る補助椅子を説明する斜視図である。
【図３Ｂ】第３の実施形態の底部側を説明する斜視図である。
【図３Ｃ】第３の実施形態におけるアームレストのシートシェルへの組み立て方法を説明する概略図である。
【図３Ｄ】第３の実施形態におけるカップホールダーのシートシェルへの組み立て方法を説明する概略図である。
【図３Ｅ】アームレストをシートシェルに収容する構成の第３の実施形態の概略図である。
【図４Ａ】第４の実施形態に係る補助椅子を説明する斜視図である。
【図４Ｂ】第４の実施形態において用いられるシートシェルの構造を説明する概略図である。
【図４Ｃ】第４の実施形態において用いられるアームレストの構造を説明する概略図である。
【図４Ｄ】アームレストをシートシェルに収容する構成の第４の実施形態の概略図である。
【図５Ａ】第５の実施形態に係る補助椅子を説明する斜視図である。
【図５Ｂ】第５の実施形態のシートシェルに収納するために調節可能なアームレストがどのように操作可能であるかを説明する概略正面図である。
【図６Ａ】第６の実施形態に係る補助椅子を説明する斜視図である。
【図６Ｂ】第６の実施形態に係る補助椅子の他の斜視図である。
【図６Ｃ】図６Ａに示した補助椅子へのカップホールダーの組み立てを説明する概略図である。
【図６Ｄ】図６Ａに示した補助椅子におけるアームレスト及びカップホールダーの収納を説明する概略図である。
【図６Ｅ】図６Ａに示した補助椅子のアームレスト及びカップホールダーを収納した状態を説明する概略上面図である。
【図６Ｆ】図６Ｂの部分Ｃに沿った概略断面図である。
【発明を実施するための形態】
【０００８】
本願は、シートシェルを含む子供用補助椅子及び、シートシェルの外殻内に都合よく配置可能なアームレストを説明するものである。アームレストは、シートシェルの収納キャビティに配置し、補助椅子を用いる際は、収納キャビティの外側に展開させることができる。アームレストがシートシェルに収納されると、補助椅子の外殻は、シートシェルの外側の輪郭形状に実質的に一致する。従って、補助椅子の体積をコンパクトなサイズまで低減させることができ、より小さい梱包箱に詰め込むことができる。それにより、輸送コストが削減される。以下、補助椅子の複数の実施形態を、図１Ａ〜図６Ｆを参照して説明する。
【０００９】
図１Ａ〜図１Ｅは、第１の実施形態に係る子供用補助椅子１００を説明する概略図である。補助椅子１００は、シートシェル１０２とアームレスト１０４を含む。シートシェル１０２は、例えば、プラスチック材料のインジェクション成形又はブロー成形によって単体として形成することもできる。シートシェル１０２は、概して長方形又は正方形を有することができる。シートシェル１０２の上側は、子供を座らせることができる支持面１０３を含むことができる。支持面１０３は、背もたれ１０７（細線で示す）の弾性掛け金１０７Ａを嵌め込んで背もたれ１０７をシートシェル１０２に組み立てることができる切込み１０５をシートシェル１０２の後部に含むこともできる。なお、背もたれ１０７は、使用しない時には取り外せるオプションのアクセサリとして設けても良いことは注目に値する。前述した構造では、特定のスナップ式噛み合いを用いるが、背もたれ１０７をシートシェル１０２に取り付けるために、一般的な任意の取り付け構造を用いても良い。
【００１０】
シートシェル１０２の右前角及び左前角はそれぞれ、カップホールダー１０８を取り外し可能に取り付けて飲料用ボトル、カップ又は、容器を保持することができる、窪んだキャビティ１０６を含むことができる。図１Ｃにより良く示したように、カップホールダー１０８のそれぞれは、シートシェル１０２の外側表面に形成された切込み１１２にスナップ式に嵌まってカップホールダー１０８を取り付ける掛け金プロング１１０を有するブラケットとして形成することができる。
【００１１】
シートシェル１０２の右側及び左側はそれぞれ、アームレスト１０４を取り外し可能に取り付けるための取付けソケット１１４を含むことができる。図１Ｂ及び図１Ｃにより良く示したように、取付けソケット１１４のそれぞれは、シートシェル１０２の下側では閉じ上側で開くポケット１１５を含むことができる。取付けソケット１１４のそれぞれは、関連したアームレスト１０４を所定の場所に係止するための掛け金開口１１６が設けられた側方の側壁を含むことができる。
【００１２】
シートシェル１０２は、シートシェル１０２の下側から利用でき、２つの取付けソケット１１４の間の中央領域に位置する内部格納キャビティ１１８をさらに含むことができる。一実施形態においては、収納キャビティ１１８は、シートシェル１０２の成形によって支持面１０３の下側に画定することができる。収納キャビティ１１８は、シートシェル１０２の前側、後ろ側、左側、右側の複数の側壁１１８Ａによって少なくとも部分的に区切る又は囲むことができる。側壁１１８Ａの１つ（例えば、後ろ側）は、取扱説明書、パンフレットなどのアクセサリ的要素を保持するためのリテーナタブ１２０を設けることができる。収納キャビティ１１８は、アームレスト１０４を配置できるような大きさを有することができるため、シートシェル１０２の外殻に収容することができる。
【００１３】
図１Ａを再び参照すると、シートシェル１０２は、シートシェル１０２の上側に形成された複数のポケット又は凹部１２１を有することもできる。ポケット又は凹部１２１により、シートシェル１０２を手で握ることを容易にすることができる。ポケット又は凹部１２１の底面は、シートシェル１０２にさらなる支持を提供することもできる。上記の利用法以外に、代替的な実施形態では、背もたれ１０７の底部を受けて背もたれ１０７をシートシェル１０２で保持するように構成されたポケット又は凹部１２１を有しても良い。
【００１４】
図１Ｃ及び図１Ｄにより良く示したように、アームレスト１０４のそれぞれは、肘掛け部１０４Ｂと上向きに接合された細長い幹部１０４Ａを含む概してＬ字型を有することができる。幹部１０４Ａは、戻り止め１２６をそれぞれ備えた２つの対向する側壁面を有することができる。戻り止め１２６のそれぞれは、アームレスト１０４を所定の場所に係止するために対応する掛け金開口１１６と嵌まり合うようになっている突出スタッド１３０を含む弾性タブとして形成することができる。
【００１５】
図１Ｅを参照すると、アームレスト１０４は、補助椅子１００の輸送中又は、補助椅子１００を使用していない時には、収納キャビティ１１８に都合よく納まることができる。この構成では、アームレスト１０４は、収納キャビティ１１８の中に全体が含まれて隠されているので、補助椅子１００の外殻を減らすことができ、シートシェル１０２の外側の輪郭と実質的に一致させることができる。その結果、補助椅子１００の全体のサイズが、シートシェル１０２と略等しくなるまで小さくすることができる。補助椅子１００は体積が小さいので、収納又は輸送のためにより小さい梱包箱の中に配置することができる。補助椅子１００をまとめて輸送する場合（例えば、製造者から販売場所まで）、この構成により、図１Ｆに示したように補助椅子１００をコンパクトに積み重ねることができる。
【００１６】
アームレスト１０４をシートシェル１０２に組み立てるために、アームレスト１０４は、収納キャビティ１１８から最初に取り外すことができる。そして、スタッド１３０がそれぞれ、掛け金開口１１６と嵌まり合い、取付けソケット１１４の側面で露出するまで、幹部１０４Ａをそれぞれシートシェル１０２の上側から取付けソケット１１４の中まで挿入させることができる。一旦スタッド１３０が掛け金開口１１６と嵌まり合うと、肘掛け部１０４Ｂがシートシェル１０２の支持面１０３上に延びる位置で、アームレスト１０４をシートシェル１０２にしっかりと係止させることができる。
【００１７】
アームレスト１０４を取り外すためにスタッド１３０を内側に押して、掛け金開口１１６から解放させることができる。スタッド１３０の利用を容易にするために、シートシェル１０２の構造に特定の隙間を設けることができる。例えば、掛け金開口１１６に隣接する収納キャビティ１１８の側壁１１８Ａは、嵌まり合ったスタッド１３０の利用を容易にするための間隙１３２を含むことができる。スタッド１３０が一旦掛け金開口１１６から解放されると、係止されていないアームレスト１０４を、シートシェル１０２の上側から、取付けソケット１１４から完全に取り外すことができる。
【００１８】
図２Ａ〜図２Ｃは、第２の実施形態に係る補助椅子２００を説明する概略図である。補助椅子２００は、シートシェル２０２及びアームレスト２０４を含み、上述した実施形態のものと構造が概して類似している。シートシェル２０２は、例えば、プラスチック材料のインジェクション成形又はブロー成形によって単体として形成することができる。シートシェル２０２の上側は、子供を座らせることができる支持面２０３を画定することができる。この支持面２０３は、背もたれ（図示せず）を取り外し可能に組み立てるための切込み２０５をシートシェル２０２の後方に含むこともできる。シートシェル２０２の左前角及び右前角はそれぞれ、カップホールダー２０８を取り付けて飲料用のボトル、カップ又は、容器のようなものを保持することができる窪んだキャビティ２０６を含むことができる。さらに、シートシェル２０２の右側及び左側はそれぞれ、アームレスト２０４を組み立てるための取付けソケット２１４を含むことができる。
【００１９】
図２Ｂは、シートシェル２０２の底部を示す部分拡大図であり、図２Ｃは、アームレスト２０４を組み立てのない状態のシートシェル２０２の底部を示す部分拡大図である。図示したように、取付けソケット２１４のそれぞれは、シートシェル２０２の下側で閉じ上側で開いたポケット２１５を含むことができる。取付けソケット２１４は、アームレスト２０４を所定の場所に係止するための掛け金開口２１６を備える対向する側壁を有することができる。
【００２０】
図２Ａ及び図２Ｂを再び参照すると、シートシェル２０２は、シートシェル２０２の下側から利用でき、２つの取付けソケット２１４の間の中央領域に位置する内部格納キャビティ２１８を含むことができる。一実施形態において収納キャビティ２１８は、シートシェル２０２の成形によって支持面２０３の下面に形成することができる。収納キャビティ２１８は、複数の側壁２１８Ａによって少なくとも部分的に区切る又は囲むことができ、アームレスト２０４の配置できるような大きさを有することができる。
【００２１】
上述した実施形態と同様に、シートシェル２０２は、シートシェル２０２を手で握ることが容易になり、底部をさらに支持するシートシェル２０２の上側に形成された複数のポケット又は凹部２２１を含むこともできる。
【００２２】
アームレスト２０４のそれぞれは、湾曲した肘掛け部２０４Ｂと上向きに接合された細長い幹部２０４Ａを含む概してＬ字型を有することができる。幹部２０４Ａは、突出スタッド２２６をそれぞれ設けられた２つの対向する側壁を有することができる。スタッド２２６のそれぞれは、上部リテーナ面２２６Ａ及び側部に角度がついた面２２６Ｂを有する先細りの形状を有することができる。
【００２３】
アームレスト２０４をシートシェル２０２と組み立てるために、幹部２０４Ａを、シートシェル２０２の上側から関連した取付けソケット２１４の中へと挿入することができる。幹部２０４Ａが取付けソケット２１４を通って移動するので、スタッド２２６はそれぞれ、掛け金開口２１６に到達して永久的に嵌まり合うまで、取付けソケット２１４の内部側壁への接触によって圧縮され変形することがある。一旦嵌まり合うと、各スタッド２２６のリテーナ面２２６Ａは、スタッド２２６を停止させるために関連した掛け金開口２１６の上縁に当たることができる。それによって、アームレスト２０４を、上述した実施形態で説明したような取り外し可能ではなく永久的にシートシェル２０２に係止することができる。
【００２４】
図３Ａ〜図３Ｅは、第３の実施形態に係る補助椅子３００を説明する概略図である。上述した実施形態のように、補助椅子３００は、シートシェル３０２及びアームレスト３０４を含むことができる。シートシェル３０２の左前角及び右前角はそれぞれ、飲料用ボトル、カップ、又は同様の容器を保持するためのカップホールダー３０６と組み立てることができる。また、カップホールダー３０６は、その底面が補助椅子３００を設置する車両の座席に接触して置かれるように構成することもできる。特に、各カップホールダー３０６の底面は、車両の座席形状と一致することができる湾曲した形状で形成することができるので、補助椅子３００の安定性を改善するためのさらなる支持を提供することができる。
【００２５】
様々な留め具を用いてカップホールダー３０６をシートシェル３０６に取り付けても良い。図３Ｄは、カップホールダー３０６のそれぞれが下端で開いたリテーナスロット３０８を備える外面を有するカップのようなレセプタクルとして形成することができる一方、シートシェル３０２の外側面がリテーナスロット３０８と噛み合うようになっている突出したＴ字型リブ３１０を有することができる例を示す図である。カップホールダー３０６は、使用の際、Ｔ字型リブ３１０をその下端からリテーナスロット３０８と噛み合わせることによってシートシェル３０２と組み立てることができる。利用しない時、又は、補助椅子３００を都合よく収納する必要がある場合は、カップホールダー３０６を上方向に引っ張ってシートシェル３０２から取り外すことができる。１つの特定の例を説明してきたが、カップホールダー３０６を取り付けるための留め具は、任意のものであっても概して適切であることが分かる。
【００２６】
図３Ａ〜図３Ｃを参照すると、シートシェル３０２の右側及び左側には、シートシェル３０２の後部の近くに取付けソケット３１４を含むことができる。この実施形態では、取付けソケット３１４のそれぞれは、シートシェル３０２の上側及び下側で開いた開口３１５を含むことができる。取付けソケット３１４の対向する側壁は、アームレスト３０４を所定の場所に係止するための掛け金開口３１６を含むことができる。
【００２７】
図３Ｂにより良く示したように、シートシェル３０２は、下面から利用でき、２つの取付けソケット３１４間に位置する内部収納キャビティ３１８を含むことができる。一実施形態において収納キャビティ３１８は、シートシェル３０２の成形時に支持面３０３の下面に画定することができる。収納キャビティ３１８は、シートシェル３０２の前側、後側、左側、右側の複数の側壁３１８Ａによって少なくとも部分的に区切る又は囲むことができる。収納キャビティ３１８は、補助椅子３００の収納を容易にするために、シートシェル３０２の外殻においてアームレスト３０４及びカップホールダー３０６を受けられる大きさにすることができる。
【００２８】
図３Ｃを参照すると、アームレスト３０４のそれぞれは、幹部３０４Ａと、幹部３０４Ａの上端と接合された湾曲した肘掛け部３０４Ｂと、幹部３０４Ａの下端と接合された拡大した基部３０４Ｃとを有することができる。基部３０４Ｃは、幹部３０４Ａよりも大きいので、基部３０４Ｃを幹部３０４Ａに接合させる領域は、段部３２０を形成することができる。幹部３０４Ａの対向する側壁は、アームレスト３０４を所定の場所に係止するための取付けソケット３１４の掛け金開口３１６と噛み合うようになっている突出したスタッド３２２も含むことができる。
【００２９】
図３Ｅに示したように、アームレスト３０４は、補助椅子３００の輸送や使用しない場合に、シートシェル３０２の収納キャビティ３１８の中に配置しても良い。アームレスト３０４に加えて、カップホールダー３０６も、シートシェル３０２から分解して、収納キャビティ３１８の中に収納することができる。アームレスト３０４及びカップホールダー３０６は、収納キャビティ３１８の中に完全に含むことができるので、補助椅子３００の外殻は、シートシェル３０２の外側の輪郭に実質的に一致することができる。その結果、補助椅子３００の全体のサイズを、シートシェル３０２と略等しくすることができる。
【００３０】
アームレスト３０４をシートシェル３０２に組み立てるために、アームレスト３０４は、収納キャビティ３１８から最初に取り外すことができる。そして、アームレスト３０４のそれぞれは、シートシェル３０２の下面から関連した取付けソケット３１４の開口３１５の中へ挿入することができ、肘掛け部３０４Ｂが上側から外に向かって適切に延び、スタッド３２２が掛け金開口３１６と噛み合うまで回転させることができる。それによって、アームレスト３０４は所定の場所に係止され、基部３０４Ｃはシートシェル３０２の下側で制止され、肘掛け部３０４Ｂはシートシェル３０２の支持面３０３の上に延びることができる。シートシェル３０２の下面から肘掛け部３０４に上向きの力がかかる衝突では、基部３０４Ｃの段部３２０が、取付けソケット３１４の開口３１５の対向する縁に当たることができるので、スタッド３２２と掛け金開口３１６との間のスナップ式噛み合いの機械的強度に加えて効果的な抵抗を提供することができる。さらに便利な特徴を加えるために、カップホールダー３０６は、Ｔ字型リブ３１０をリテーナスロット３０８に噛み合わせることでシートシェル３０２と組み立てることもできる。
【００３１】
図４Ａ〜図４Ｄは、第４の実施形態に係る補助椅子４００を説明する概略図である。補助椅子４００は、シートシェル４０２と２つのアームレスト４０４を含むことができる。この実施形態において、シートシェル４０２及びアームレスト４０４は、アームレスト４０４がシートシェル４０２の内部に嵌まり込むことができるとともに、シートシェル４０２の右側及び左側に使用する配置で組み立てることができるように構成される。
【００３２】
図４Ｂにより良く示したように、シートシェル４０２は、例えば、プラスチック材料のインジェクション成形又はブロー成形によって、中空体として一体的に形成することができる。シートシェル４０２は、アームレスト４０４を収容するような大きさの内部収納キャビティ４１０を含む、概して長方形又は正方形を有することができる。収納キャビティ４１０は、上殻部及び下殻部４１２及び４１４と、シートシェル４０２の前殻部４１６及び後殻部４１８によって少なくとも部分的に区切ることができる。上殻部４１２及び下殻部４１４はそれぞれ、前殻部４１６及び後殻部４１８と接合され、シートシェル４０２の外側の輪郭を画定し、上殻部４１２は、子供を座らせることができる支持面を画定する。挿入開口４２０は、収納キャビティ４１０と連通してシートシェル４０２の右側及び左側にそれぞれ形成される。このようにして、収納キャビティ４１０が挿入開口４２０を介してアームレスト４０４を受けやすくすることができる。
【００３３】
図４Ｃにより良く示したように、アームレスト４０４のそれぞれは、拡大した基部４０４Ａと、基部４０４Ａと接合された湾曲した肘掛け部４０４Ｂを含むことができる。基部４０４Ｂは、アームレスト４０４をシートシェル４０２の片側で保持するために、１つの対応する挿入開口４２０を通して噛み合うようになっている側面突起部４２２を含むことができる。図示したように、アームレスト４０４は、基部４０４Ａに（図４Ａに示したように）接合されたカップホールダー部４０４Ｃをオプションとして含むこともできる。カップホールダー部４０４Ｃは、肘掛け部３０４Ｂの前面に位置する隆起部として形成することができ、ブラケットとして形成されたカップホールダー４３０が、飲料用カップ、ボトル等を保持するために組み立てられる凹部を含む。一実施形態では、基部４０４Ａ、肘掛け部４０４Ｂ、カップホールダー部４０４Ｃ及び側面突起部４２２を含むアームレスト４０４は、単体として形成することができる。カップホールダー４３０は、カップホールダー部４０４Ｃと組み立てることができるアクセサリ部品として提供することができる。
【００３４】
図４Ｄに示したように、アームレスト４０４は、補助椅子４００の輸送中又は、補助椅子１００を使用していない時には、収納キャビティ４１０の中に都合よく配置することができる。この構成では、アームレスト４０４のそれぞれは、水平に置くことができるとともに、肘掛け部４０４Ｂとカップホールダー部４０４Ｃが収納キャビティ４１０の中に略閉じ込められるように、対応する挿入開口４２０を通って収納キャビティ４１０の中へとぴったり収まることができる。一方、基部４０４Ａの底部は挿入開口４２０から見えたままである。従って、補助椅子４００の外殻は、シートシェル４０２の外側の輪郭と実質的に一致することができ、占める体積が小さくなる。
【００３５】
アームレスト４０４をシートシェル４０２に組み立てるために、アームレスト４０４は、挿入開口４２０を介して収納キャビティ４１０から取り外してから垂直に立ち上げることができる。その後、側面突起部４２２は、シートシェル４０２の挿入開口４２０を通って嵌まり合うことができる。一実施形態では、側面突起部４２２及び挿入開口４２０は、肘掛け部４０４Ｂがシートシェル４０２の支持面の上に横たわる位置において、アームレスト４０４がシートシェル４０２にしっかりと保持されることができるように、締まりばめを介して互いに相補的に結合されるように設計することができる。
【００３６】
図５Ａ及び図５Ｂは、第５の実施形態に係る補助椅子５００を説明する概略図である。上述したように補助椅子５００は、シートシェル５０２、２つのアームレスト５０４及びカップホールダー５０６を含むことができる。シートシェル５０２は、シートシェル５０２の下面から利用できるとともにアームレスト５０４の位置に対応する位置でシートシェル５０２の右側及び左側に開いた（図５Ｂに細い線で示した）収納キャビティ５１４を含むことができる。この実施形態では、シートシェル５０２及びアームレスト５０４は、アームレスト５０４がピボットリンク５１６を介してシートシェル５０２の右脇及び左脇に枢動可能に結合することができるように構成される。ピボットリンク５１６のそれぞれは、概してシートシェル５０２の後方から前方に延びるピボット軸を画定することができる。図５Ａに示したように、アームレスト５０４のそれぞれは、使用するために、シートシェル５０２の上面の上に立ち上がった展開位置に配置することができる。図５Ｂに示したように、アームレスト５０４は、アームレスト５０４が収納キャビティ５１４の中に受けられる折り畳まれた位置まで、展開位置からシートシェル５０２の底面に向かって回転するように（細い線で示したように）操作可能である。一旦アームレスト５０４を折り畳んだ位置に調整すると、補助椅子５００の外殻は、シートシェル５０２の外側の輪郭と実質的に一致することができる。
【００３７】
図６Ａ〜図６Ｆは、第６の実施形態に係る補助椅子６００を説明する概略図である。図５Ａ及び図５Ｂに説明した第５の実施形態のように、補助椅子６００は、シートシェル６０２と、ピボットリンク６０６を介してシートシェル６０２の右脇及び左脇に枢動可能に結合された２つのアームレスト６０４と、カップホールダー６０８とを含むことができる。シートシェル６０２の上側は、子供を座らせることができる座席板６１０に取り外し可能に取り付けることができる。一実施形態では、座席板６１０の表面は、座り心地を向上させるための通気性のある表面を提供する複数の貫通孔又は開口６１２を含むことができる。
【００３８】
図６Ｃに示したように、カップホールダー６０８のそれぞれは、シートシェル６０２の側面に取り外し可能に取り付けることができる。一実施形態では、カップホールダー６０８は、スタッドを備える戻り止め部６１４及び戻り止め部６１４の両側に設けられた２つの平行な細長いスロット６１６を含むことができる。シートシェル６０２の対応する外側の表面は、開口６２０と、開口６２０の両側に設けられた２つの平行なガイドリブ６２２を含むことができる。リブ６２２は、戻り止め部６１４が開口６２０と噛み合ってカップホールダー６０８を所定の場所に保持するまで、細長いスロット６１６と連動してカップホールダー６０８の滑り運動を導く。カップホールダー６０８を取り外すために、戻り止め部６１４をシートシェル６０２の内側から押して開口６２０から解放させることができる。そしてカップホールダー６０８を、シートシェル６０２の外側の表面から取り除くことができる。
【００３９】
図６Ｄ及び図６Ｅを参照すると、シートシェル６０２の内部は、アームレスト６０４及びカップホールダー６０８を収容するようになっている収納キャビティ６３０を含むことができる。一実施形態では、収納キャビティ６３０は、底面６３２Ａを有する第１の区画６３２と、下面で開き、側壁６３６を介して第１の区画６３２から独立した第２の区画６３４とを含むことができる。
【００４０】
座席板６１０は、収納キャビティ６３０が開き上側から利用できるようにシートシェル６０２の上側から取り外すことができる。そして、２つのアームレスト６０４を、シートシェル６０２の上側に向かってそれぞれのピボット軸の周りを回転させ、そして、それぞれ、収納キャビティ６３０の第２の区画に折り畳むことができる。カップホールダー６０８は、シートシェル６０２のそれぞれの側面から取り外して、収納キャビティ６３０の第１の区画６３２に配置することもできる。一旦アームレスト６０４及びカップホールダー６０８を収納キャビティ６３０の中に適切に配置すると、座席板６１０を取り付けてシートシェル６０２の上側をカバーし、上側から収納キャビティ６３０を閉じることができる。従って、補助椅子６００の外殻は、座席板６１０によって上向きに閉じられるシートシェル６０２の外側の輪郭と実質的に一致することができる。補助椅子６００をこの構成に配置する間は、アームレスト６０４及びカップホールダー６０８を用いずに子供を座席板６１０に座らせることができる。
【００４１】
アームレスト６０４及び／又はカップホールダー６０８を使う必要がある場合は、座席板６１０をシートシェル６０２から取り外すことができる。そして、アームレスト６０４は、図６Ａに示したそれぞれの展開位置に到達するまで外に向かって回転させることができる。カップホールダー６０８も、上述した方法でシートシェル６０２の側面に設置することができる。一旦アームレスト６０４を適切に展開すると、座席板６１０をシートシェル６０２の上側に取り付けることで、収納キャビティ６３０を上向きに閉じることができるので、アームレスト６０４が収納キャビティ６３０の中に折り畳まれることを防止することができる。
【００４２】
図６Ｆは、図６Ｂの部分Ｃに沿った概略断面図である。一実施形態では、座席板６１０は、展開した位置に配置されたアームレスト６０４のそれぞれと連動するように構成することもできる。例えば、座席板６１０の外周側壁は、弾性戻り止め部６４０を含むことができ、アームレスト６０４の下部は凹部６４２を備える内側面を有することができる。アームレスト６０４を展開位置及びシートシェル６０２の上側に設置された座席板６１０に配置すると、戻り止め部６４０は、凹部６４２と弾性的に噛み合うことができる。それにより、座席板６１０が上向きに取り外されることを阻止し、座席板６１０を所定の場所にしっかりと保持することができる。座席板６１０を取り外すために、戻り止め部６４０が形成される座席板６１０の外周側壁が、戻り止め部６４０を凹部６４２から解放させるように操作可能である。そして、座席板６１０をシートシェル６０２から取り外して収納キャビティ６３０からカバーを取り外すことができる。
【００４３】
座席板６１０は、シートシェル６０２に取り外し可能に取り付けるものとして説明したが、他の構成も可能である。例えば、代替的な実施形態は、シートシェルに可動的、例えば、ピボット又はスライド式の接続を介して接続された座席板を有しても良い。このように、座席板は、収納キャビティを開いたり閉じたりするように操作できても良い。
【００４４】
本明細書に説明した補助椅子の少なくとも１つの利点は、アームレスト及びカップホールダーを収納のするために収容することのできる収納キャビティをシートシェルの中に提供することができることである。従って、補助椅子は、より小さい箱に梱包することができるので、輸送コストを効率的に削減することができる。
【００４５】
そのため、本発明による実現化は、特定の実施形態の文脈においてのみ説明してきた。これらの実施形態は、説明するためのものであり、制限することを意味するものではない。多くの変形例、修正、追加、改善が可能である。従って、本明細書に単一の例として説明した構成要素に対して、複数の例を提供しても良い。例示的な構成における別々の構成要素として表した構造及び機能は、組み合わせた構造又は構成要素として実施されても良い。これら及び他の変形例、修正、追加、改善は、以下の請求項において定義されるように本発明の範囲に含まれても良い。
【符号の説明】
【００４６】
１００  補助椅子
１０２  シートシェル
１０３  支持面
１０４  アームレスト
１０５  切込み
１０６  キャビティ
１０７  背もたれ
１０８  カップホールダー
１１４  取付けソケット
１１８  内部収納キャビティ
【図１Ａ】
2014028305.tif 000003
【図１Ｂ】
2014028305.tif 000004
【図１Ｃ】
2014028305.tif 000005
【図１Ｄ】
2014028305.tif 000006
【図１Ｅ】
2014028305.tif 000007
【図１Ｆ】
2014028305.tif 000008
【図２Ａ】
2014028305.tif 000009
【図２Ｂ】
2014028305.tif 000010
【図２Ｃ】
2014028305.tif 000011
【図３Ａ】
2014028305.tif 000012
【図３Ｂ】
2014028305.tif 000013
【図３Ｃ】
2014028305.tif 000014
【図３Ｄ】
2014028305.tif 000015
【図３Ｅ】
2014028305.tif 000016
【図４Ａ】
2014028305.tif 000017
【図４Ｂ】
2014028305.tif 000018
【図４Ｃ】
2014028305.tif 000019
【図４Ｄ】
2014028305.tif 000020
【図５Ａ】
2014028305.tif 000021
【図５Ｂ】
2014028305.tif 000022
【図６Ａ】
2014028305.tif 000023
【図６Ｂ】
2014028305.tif 000024
【図６Ｃ】
2014028305.tif 000025
【図６Ｄ】
2014028305.tif 000026
【図６Ｅ】
2014028305.tif 000027
【図６Ｆ】
2014028305.tif 000028